(57)【特許請求の範囲】
【請求項１】
棚板と側板を備え、複数の骨壺が左右方向に載置されている納骨棚と、
前記棚板の前部に設けられている回動板と、
を備える納骨堂であって、
前記回動板が、水平方向に配置されている回動軸に対して垂直状態と水平状態との間を回動し、
前記回動板が、前記納骨棚に載置されている前記複数の骨壺の落下を防止することを可能とする大きさを有し、
前記回動板全体が、透明である、
納骨堂。
【請求項２】
前記棚板と前記骨壺との間に一面が低摩擦性の滑りシートを介在させた、請求項１に記載の納骨堂。
【請求項３】
スライダを備える、請求項１に記載の納骨堂。
【請求項４】
前記スライダが、スライドレールとスライド部材により可動となるように構成されている、請求項３に記載の納骨堂。
【請求項５】
水平位置に前記回動板を確保するための回動板固定具を備える、請求項１−４の何れかに記載の納骨堂。
【請求項６】
前記回動板固定具がステーである、請求項５に記載の納骨堂。
【請求項７】
前記回動板固定具がチェーンである、請求項５に記載の納骨堂。
【請求項８】
前記棚板と前記回動板が蝶番により連結されている、請求項１−７の何れか１項に記載の納骨堂。
【請求項９】
前記蝶番が、前記回動板を水平状態に保つストップ蝶番である、請求項８に記載の納骨堂。
【請求項１０】
前記回動板が前記水平状態にあるときに、前記回動板の表面と前記棚板の表面が、同一面となるように、前記回動板と前記棚板が構成されている、請求項１−９の何れか１項に記載の納骨堂。
【請求項１１】
前記側板の内側にプッシュオープン金具を備える、請求項１−１０の何れか１項に記載の納骨堂。
【請求項１２】
前記回動板に連動する第二の回動板を備え、前記回動板と前記第二の回動板が、垂直状態にあるときに前記納骨棚の前面をカバーする、請求項１−１１の何れか１項に記載の納骨堂。
【発明の詳細な説明】
【技術分野】
【０００１】
本発明は、納骨堂に関する。
【背景技術】
【０００２】
近年、大都市を中心に、墓地用地の確保が困難となり、墓不足が社会問題となっている。このような問題を解決するために、多数の骨壺を収納棚、納骨庫等に一括して格納する納骨堂が利用されている。このような納骨堂によれば、多数の骨壺が、立体的に配設された収納場所に収納されているので、大都市などの用地確保が困難な場所においても、効率的に多数の骨壺を保管することが出来る。参拝者が参拝する際には、先ず、故人の名前を納骨堂管理者に告げる。納骨堂管理者は、骨壺が保管されている収納棚からその故人の骨壺を運びだし、納骨堂に設置されている参拝ブースに置く。参拝者は、その参拝ブースで、通常の平面墓地に参拝する際と同様な感覚で、その故人の骨壺に対し参拝を行うことが出来る。そして、多くの参拝者が交互にこの参拝ブースを使用することが可能であるので、お彼岸などの混雑時においても、多くの参拝を効率的に処理することが出来る。
【０００３】
特許文献１には、骨壺の収容効率を従来よりもさらに向上させて、納骨できる数をより多くすることができる、コンパクトな構造を有する合祀納骨堂が開示されている。この合祀納骨堂は、内部に出入りするための戸を有する納骨堂本体を備え、納骨堂本体の内部には納骨棚装置が設けられている。納骨棚装置は、二台の固定納骨棚と、その間を出入り方向と交差する方向に移動できる一台の移動納骨棚を備えている。移動納骨棚を移動させて固定納骨棚の一方に合わせて隙間をなくした形態にすることにより、移動納骨棚と他の固定納骨棚の間の一箇所に人が入ることができる通路を形成することができる。
【０００４】
特許文献２には、故人との確かな絆が感じられ、お供えが自由にでき、保守・管理者側の負担を軽減できる納骨壇が開示されている。この納骨壇は、複数の納骨庫を有するロッカー式であり、各納骨庫は個別に片開き扉を備えている。各扉の中央部には画像表示器が取り付けられている。画像表示器には、故人に関する画像、あるいは仏像や仏画を含む宗教的な画像が表示される。参拝の都度扉を開ける必要がないように、画像表示器の電源スイッチは扉の外側にある。また、扉の手前には供物などを供えるためのスペースが設けられている。
【先行技術文献】
【特許文献】
【０００５】
【特許文献１】特許第４８４２９９４号公報
【特許文献２】実用新案登録第３１６３１２３号公報
【発明の概要】
【発明が解決しようとする課題】
【０００６】
特許文献１における合祀納骨堂の納骨棚装置には、図１３に示されるように、複数の骨壺７が棚板５６に配置されている。骨壺７が落下するのを防止するために、骨壺７の前後には、落下防止バー５９が設けられている。このような納骨棚装置では、骨壺７を取り出す度に、落下防止バー５９を取り外す必要がある。また、使用後の骨壺７を元の場所に戻した後には、落下防止バー５９を再度納骨棚装置に取付ける必要がある。これは、骨壺取扱い作業者に面倒な作業を強いることになる。更に、この納骨棚装置では、参拝者が、納骨棚装置に置かれている故人の骨壺の前に、位牌、故人の写真、お供え等を置いて、参拝しょうとする場合、参拝者は、位牌等を置く台等を別途用意しなければならないと言う問題がある。
【０００７】
一方、図１４に示されるように、特許文献２における納骨壇の納骨庫２Ａ、２Ｂ、２Ｃには、遺骨収納容器を安置するスペース１１と、片開きの扉３と、お供えのためのスペース１０が設けられている。参拝者が、故人の骨壺が格納されている納骨庫に参拝するとき、扉３の前に設けられているお供えのためのスペース１０に、お供えを置くことが出来る。しかしながら、特許文献２における納骨壇の場合、お供えのためのスペース１０を設けなければならないので、各納骨庫２Ａ、２Ｂ、２Ｃが余分のスペースを必要とすることが問題となる。
【課題を解決するための手段】
【０００８】
本発明の納骨堂は、
骨壺を載置する棚板と側板を備える、複数の骨壺格納部と、
前記棚板の前部に設けられている回動板と、
を備え、
前記回動板が、水平方向に配置されている回動軸に対して垂直状態と水平状態との間を回動する、
ことにより、上記課題を解決している。
【０００９】
本発明の納骨堂は、複数の骨壺格納部を備えている。各骨壺格納部は、骨壺が載置される棚板と、水平方向に配置されている回動軸に対して、垂直状態と水平状態との間を回動する回動板とを備えている。回動板が、垂直状態にある場合、回動板により、骨壺格納部に格納されている骨壺が落下することが防止される。回動板が、水平状態にある場合、骨壺取扱い作業者は、骨壺格納部から骨壺を容易に取り出すことが出来る。
【００１０】
本発明の納骨堂においては、前記骨壺格納部を、納骨棚としても良い。
【００１１】
本発明の納骨堂においては、前記骨壺格納部を、納骨庫としても良い。
【００１２】
本発明の納骨堂においては、前記回動板を、透明としても良い。回動板を、透明にすることにより、骨壺取扱い作業者、参拝者等は、配置されている多数の骨壺から所望の骨壺を容易に識別することが可能になる。
【００１３】
本発明の納骨堂においては、前記棚板と前記骨壺との間に一面が低摩擦性の滑りシートを介在させても良い。これにより、骨壺取扱い作業者は、滑りシート上に載置されている骨壺を骨壺格納部から容易に引き出すことが出来る。
【００１４】
本発明の納骨堂は、スライダを備えても良い。これにより、骨壺取扱い作業者は、スライド上に載置されている骨壺を骨壺格納部から容易に引き出すことが出来る。
【００１５】
本発明の納骨堂においては、前記スライダを、スライドレールとスライド部材により可動となるように構成しても良い。これにより、スライダをスムーズに移動させることが出来る。
【００１６】
本発明の納骨堂においては、水平位置に前記回動板を確保するための回動板固定具を備えても良い。これにより、回動板を水平位置に安定して固定させることが出来る。
【００１７】
本発明の納骨堂においては、前記回動板固定具をステーとしても良い。
【００１８】
本発明の納骨堂においては、前記回動板固定具をチェーンとしても良い。
【００１９】
本発明の納骨堂においては、前記棚板と前記回動板を蝶番により連結しても良い。
【００２０】
本発明の納骨堂においては、前記蝶番は、前記回動板を水平状態に保つストップ蝶番としても良い。これにより、回動板固定具が不要になる。
【００２１】
本発明の納骨堂においては、前記回動板が前記水平状態にあるときに、前記回動板の表面と前記棚板の表面が、同一面となるように、前記回動板と前記棚板を構成しても良い。これにより、回動板が水平状態において骨壺を骨壺格納部からスムーズに引出すことが出来る。
【００２２】
本発明の納骨堂においては、前記側板の内側にプッシュオープン金具を備えても良い。これにより、回動板の開閉が容易になる。
【００２３】
本発明の納骨堂を、前記回動板に連動する第二の回動板を備え、前記回動板と前記第二の回動板が、垂直状態にあるときに前記骨壺格納部の前面をカバーする、ように構成しても良い。これにより、骨壺格納部に塵埃が侵入することを防止することが出来る。
【発明の効果】
【００２４】
本発明の納骨堂によると、回動板を水平状態にすることにより、参拝者は、故人の骨壺の前に、位牌、故人の写真、お供え等を置いて、参拝を行うことが出来る。従って、本発明の納骨堂は、お供えのためのスペースを設ける必要が無い。また、本発明の納骨堂では、従来の納骨棚装置のように、骨壺を取出す際に落下防止バーを取外す必要が無く、回動板を水平状態にすることにより、骨壺取扱い作業者は、骨壺格納部から容易に骨壺を取出すことが出来る。容易に骨壺を取出すことが出来ることから、骨壺格納部の高さを低くすることが出来る。このことと、お供えのためのスペースを設ける必要が無いことから、本発明の納骨堂は、収容可能な骨壺の数を増大させることが出来る。
【図面の簡単な説明】
【００２５】
【図１】本発明の納骨堂の一実施形態である移動式集合納骨棚を示す。
【図２】（Ａ）集合納骨棚を構成する単位納骨棚および（Ｂ）回動板を示す。
【図３】回動板が垂直状態にある、単位納骨棚の断面図である。
【図４】回動板が水平状態にある、単位納骨棚の正面図である。
【図５】回動板が水平状態にある、単位納骨棚の断面図である。
【図６】回動板が垂直状態にある、単位納骨棚の断面図である。
【図７】（Ａ）回動板が垂直状態にある、スライダを備える単位納骨棚の正面図と（Ｂ）スライダとスライド部の関係を示す説明図である。
【図８】回動板が垂直状態にある、スライダを備える単位納骨棚の断面図である。
【図９】回動板が水平状態にある、スライダを備える単位納骨棚の正面図である。
【図１０】回動板が水平状態にある、スライダを備える単位納骨棚の断面図である。
【図１１】本発明の納骨堂の一実施形態である納骨壇を示す。
【図１２】回動板が水平状態にある、単位納骨庫の断面図である。
【図１３】従来の合祀納骨堂に使用される納骨棚を示す図である。
【図１４】従来の納骨壇を示す図である。
【発明を実施するための形態】
【００２６】
（実施態様１）
本発明の実施態様１の納骨堂は、図１に示される、移動式集合納骨棚１６が、紙面に垂直方向に４台設置されている。この移動式集合納骨棚１６は、骨壺格納部を構成する単位納骨棚１７（図２）を７段有する一列の納骨棚を、三列、左右の筐体側部１２および筐体底部１４内に有する。図１に示される右側の筐体側部１２には、ハンドル１３が、そして筐体底部１４には４個の車輪１５が取付けられている。骨壺取扱い作業者が、ハンドル１３を回転させると、移動式集合納骨棚１６は、紙面に垂直方向に移動して、隣接する移動式集合納骨棚１６の間に作業スペースが形成される。骨壺取扱い作業者は、この作業スペースに入って、所望の骨壺２３を取出すことが出来る。参拝者もこの作業スペースに入って、故人の骨壺２３に参拝することが出来る。
【００２７】
図２（Ａ）は、移動式集合納骨棚１６を構成する単位納骨棚１７を示し、図２（Ｂ）は、回動板２５を示す。図３は、図２の単位納骨棚１７の切断線Ａ−Ａについての、単位納骨棚１７の断面図である。図２および図３に示されるように、単位納骨棚１７は、棚板１９、側板２１、背面板２２および回動板２５を備える。回動板２５は、ポリカーボネートの透明樹脂板で、蝶番２７により下側の棚板１９に、回動軸２６に対して回動可能に固定されている。図２に示されるように、回動軸２６は、水平方向に配置されている。ポリカーボネートに代えて、ＰＥＴ、制電塩ビ、アクリル等の樹脂も使用可能である。側板２１の内側には、回動板２５の水平状態を保つための回動板固定具（ステー２９）と、プッシュオープン金具２４が取付けられている。
【００２８】
図４は、回動板２５が回動軸２６に対して垂直状態から９０°回動した水平状態にある、単位納骨棚１７の正面図である。図５は、図４の切断線Ａ−Ａについての断面図である。図５に示されるように、ステー２９は、回動板２５が水平状態になると、完全に開き切って、回動板２５の水平状態を保持する。図２の状態で、回動板２５の上部を単位納骨棚１７の内側方向に押込むと、プッシュオープン金具２４が機能して、回動板２５が垂直状態から解放される。解放された回動板２５を手前に回動させることにより、回動板２５を水平状態に保持することが出来る。回動板２５が透明であるので、骨壺取扱い作業者は、棚板１９に置かれている骨壺２３を即座に認識でき、所望の骨壺２３を容易に発見することが出来る。また、従来の骨壺収納棚の場合、骨壺は、落下防止バーによりその落下が防止されていたが、この落下防止バーの存在は、参拝者に故人の骨壺が工業製品のように扱われているような感覚をもたらしていた。これに対し、実施態様１の移動式集合納骨棚１６においては、参拝者は、落下防止バー無しに、透明な回動板２５を介して、故人の骨壺２３が安置されている状態を見ることが出来るので、心が安らぐ。
【００２９】
図５に示されるように、回動板２５の水平状態では、回動板２５の表面と下側の棚板１９の表面は、同一面を形成している。このため、骨壺取扱い作業者が、骨壺２３を手前に引きづって取出しても、その取出しは、スムーズである。ステー２９は、直線状になるまで延伸し、回動板２５を水平状態に保つ。回動板固定具であるステーに代えて、チェーンを使用することも出来る。また、蝶番２７に９０°で止まるストップ蝶番を使用すると、回動板固定具は不要となる。骨壺は破損しやすいので、従来の納骨棚、納骨庫では、骨壺を取出す際、一度骨壺を上に持上げてから手前に移動させると言う慎重な作業が必要であった。そのため、従来の納骨棚では、骨壺を上に持上げる距離を確保するために、標準的な骨壺（高さ２５ｃｍ）に対し、上下の棚板間の距離（内側の高さ）は、３５ｃｍ以上とすることが必要であった。これに対し、本発明の納骨棚では、骨壺２３を上に持上げることなく、骨壺２３を水平に手前に引出すことが出来る。このため、上下の棚板間の距離（図３における高さＨ）は、３０ｃｍとすることが出来る。従来の集合納骨棚は、単位納骨棚が５〜６段であるのに対し、本発明の納骨棚では、単位納骨棚を７段にすることが出来、納骨堂に収容される骨壺の総数を増大させることが出来る。
【００３０】
参拝者は、故人の骨壺２３の前に位置する、水平状態の回動板２５の上に、位牌３１、故人の写真３３、お供え物等を置いて、故人の骨壺２３に参拝することが出来る。参拝者は、参拝が終わると、回動板２５上の位牌３１、故人の写真３３、お供え物等を片付けて、回動板２５を垂直状態に戻す。従って、本発明の納骨堂では、水平状態の回動板２５の上に、位牌３１、故人の写真３３、お供え物等を置くことが出来るので、従来の納骨壇のようにお供えのためのスペースを設ける必要が無い。
【００３１】
実施態様１では、垂直状態の回動板２５は、その上端と上の棚板１９の間は、オープンであるが、この部分（例えば、上下の棚板１９間の内側距離の１／３）に第二の透明（または不透明）回動板を設けても良い。回動板２５を垂直状態から水平状態に回動させると、この第二の回動板も、回動板２５に連動して、垂直状態から水平状態に回動する。このような構成により、外部から塵埃等が単位納骨棚１７の内部に侵入することを防ぐことが出来る。
【００３２】
（実施態様２）
図６に基づいて、実施態様２の発明を説明する。実施態様２の発明は、滑りシート２８が骨壺２３と下側の棚板１９との間に設けられている点で、実施態様１のそれと相違するが、これ以外では何ら相違しない。滑りシート２８は、ナフロンＰＴＴＥ、テフロン（登録商標）等の樹脂からなるシートで、下側の棚板１９の面に当たる表面は、低摩擦になっている。骨壺２３は、このような低摩擦の滑りシート２８の上に載置されているので、回動板２５が水平状態にある場合、骨壺取扱い作業者は、滑りシート２８の前端を掴んで、手前に引出すのみ（水平移動のみ）で、単位納骨棚１７から容易に取出すことが出来る。この際、従来の骨壺収納棚のように、骨壺を持上げて、取出す必要が無いので、単位納骨棚１７の上下の棚板１９の内側距離（図６における高さＨ）は、従来のそれに比較し、減小させることが出来る。
【００３３】
（実施態様３）
図７−１０に基づいて、実施態様３の発明を説明する。図７は、（Ａ）回動板２５が垂直状態にある、スライダ３５を備える単位納骨棚１７の正面図と、（Ｂ）スライダ３５、スライド部３６、スライドレール３７の関係を示す説明図である。図８は、回動板２５が垂直状態にある、スライダ３５を備える単位納骨棚１７の、図７（Ａ）における切断線Ｂ−Ｂについての断面図である。図９は、回動板２５が水平状態にある、スライダ３５を備える単位納骨棚１７の正面図である。図１０は、回動板２５が水平状態にある、スライダ３５を備える単位納骨棚１７の、図７（Ａ）における切断線Ｂ−Ｂについての断面図である。実施態様３の発明は、スライダ３５とスライド部３６が骨壺２３と下側の棚板１９との間に設けられている点で、実施態様１のそれと相違するが、これ以外では何ら相違しない。
【００３４】
図７（Ｂ）に示されるように、スライダ３５に固定されているスライド部材３９が、下側の棚板１９に設けられているスライドレール３７に係合することにより、スライド３５およびそれに載置されている骨壺２３は、図８の単位納骨棚１７内の載置位置から図１０の水平状態の回動板２５の上の位置まで、単位納骨棚１７内を容易に移動させることが出来る。従って、骨壺取扱い作業者は、骨壺２３が載置されているスライド３５を手前に引出し、図１０に示される、回動板２５の水平状態で、骨壺２３を容易に取出すことが出来る。本発明の単位納骨棚１７では、従来の骨壺収納棚のように、骨壺を持上げて、取出す必要が無いので、上下の棚板１９の内側距離（図１０における高さＨ）は、従来のそれに比較し、減小させることが出来る。さらに、骨壺２３がスライダ３５に載置されているので、スライダ３５を手前に引寄せるのみで、所望の骨壺２３を容易に得ることが出来る。この際、骨壺２３はスライダ３５に載置されているので、従来の納骨堂のように、骨壺を取出す際に落下等によりそれを破損させることが発生しない。
【００３５】
（実施態様４）
図１１および図１２に基づいて、実施態様４の発明を説明する。実施態様４の発明は、骨壺格納部として、単位納骨棚１７に代えて納骨庫４１が用いられている点で、実施態様１のそれと相違するが、これ以外では両者は相違しない。図１２は、図１１における切断線Ｃ−Ｃに関する納骨庫４１の断面図である。実施態様４の発明は、複数の納骨庫４１を備える納骨壇４３に対して実施される。納骨壇４３は、図１１に示されるように、縦４段、横３列の納骨庫４１から構成される。各納骨庫４１は、実施態様１と同様に、回動板２５、プッシュオープン金具２４、ステー２９を備えている。更に、回動板２５は、蝶番２７により下側の棚板１９に、回動軸２６に対して回動可能に固定されている。回動軸２６は、水平方向（図１２においては、紙面に垂直方向）に位置している。図１１は、回動板２５が透明でかつ水平状態にある、最左列かつ上から二段目の納骨庫４１、回動板２５が透明でかつ垂直状態にある最右列かつ上から三段目の納骨庫４１、および回動板２５が不透明でかつ垂直状態にあるその他の納骨庫４１を示しているが、回動板２５は、全て透明であっても良い。
【００３６】
参拝者は、故人の骨壺２３が安置されている納骨庫４１の前に立ち、納骨庫４１の回動板２５を手前に開く。参拝者は、水平状態になった回動板２５の上に、位牌３１、故人の写真３３、お供え物等を置いて、回動板２５の奥にある故人の骨壺２３に参拝する。参拝者は、参拝が終わると、回動板２５上の位牌３１、故人の写真３３、お供え物等を片付けて、回動板２５を垂直状態に戻す。このように、本発明の納骨庫４１では、従来の納骨庫のように、お供えのためのスペースを設ける必要が無いので、納骨庫のスペースを有効に使用することが出来る。お供えのためのスペースに使用されていたスペースに骨壺を置くことが可能になるので、本発明の納骨堂に収容される骨壺の総数は、従来の納骨堂（納骨壇）のそれの倍にすることが出来る。前述の実施態様と同様に、実施態様４の納骨庫４１でも、従来の納骨壇のように、骨壺を持上げて、取出す必要が無いので、上下の棚板１９の内側距離（図１２における高さＨ）を、従来のそれに比較し、減小させることが出来る。
【符号の説明】
【００３７】
２Ａ、２Ｂ、２Ｃ  特許文献２における納骨庫
３  扉
７  特許文献２における骨壺
１０  お供えのためのスペース
１１  遺骨収納容器を安置するスペース
１２、１２’  筐体側部
１３  ハンドル
１４  筐体底部
１５  車輪
１６  移動式集合納骨棚
１７  単位納骨棚
１９  棚板
２１  側板
２２  背面板
２３  骨壺
２４  プッシュオープン金具
２５  回動板
２６  回動軸
２７  蝶番
２８  滑りシート
２９  ステー
３１  位牌
３３  写真
３５  スライダ
３６  スライド部
３７  スライドレール
３９  スライド部材
４１  納骨庫
４３  納骨壇
５６  特許文献１における棚板
５９  落下防止バー
【要約】
【課題】お供えのためのスペースを設ける必要が無く、かつ骨壺を取出すことが容易な納骨堂を提供する。
【解決手段】本発明の納骨堂は、骨壺を載置する棚板と側板を備える、複数の骨壺格納部と、前記棚板の前部に設けられている回動板とを備える。前記回動板は、水平方向に配置されている回動軸に対して、垂直状態と水平状態との間を回動する。垂直状態にある回動板は、骨壺が落下することを防止する。水平状態にある回動板には、位牌、お供え等を置くことが出来る。
【選択図】図５【図１】
0006653930.tif 000002
【図２】
0006653930.tif 000003
【図３】
0006653930.tif 000004
【図４】
0006653930.tif 000005
【図５】
0006653930.tif 000006
【図６】
0006653930.tif 000007
【図７】
0006653930.tif 000008
【図８】
0006653930.tif 000009
【図９】
0006653930.tif 000010
【図１０】
0006653930.tif 000011
【図１１】
0006653930.tif 000012
【図１２】
0006653930.tif 000013
【図１３】
0006653930.tif 000014
【図１４】
0006653930.tif 000015